(57)【要約】【課題】消費電力の削減と、表示を視認している者へ違和感を与えない表示とを併せて行なう。【解決手段】コンテンツをダウンロードして表示する際、コンテンツのダウンロードに要する時間を予測する（ステップＳ２４ｊ）。その予測された時間と所定の時間とを比較し（ステップＳ２４ｋ）、予測された時間が所定の時間以上であれば、表示輝度を低下させ（ステップＳ２４ｍ）、コンテンツをダウンロードして（ステップＳ２４ｎ）、表示輝度を復旧させる（ステップＳ２４ｏ）。予測された時間が所定の時間未満であれば、表示輝度を低下させない。【選択図】図６
2009246881.tif 000002
【特許請求の範囲】
【請求項１】
通信手段と、
第１の輝度で表示する表示手段と、
前記通信手段にコンテンツの受信を指示し、その指示に応じて前記通信手段によって受信されたコンテンツを前記表示手段に表示させるコンテンツ表示制御手段とを有し、
前記コンテンツ表示制御手段は、前記通信手段が前記コンテンツの受信に要する時間が所定時間より長い場合、前記表示手段を前記第１の輝度より低い第２の輝度で表示させ、又は、表示をさせず、前記コンテンツの受信に要する時間が前記所定時間より短い場合、前記表示手段を輝度を変更させずに表示させる
ことを特徴とするコンテンツ受信装置。
【請求項２】
前記コンテンツ表示制御手段は、前記通信手段が前記コンテンツを受信している間、前記通信手段が前記コンテンツを受信中であることを前記表示手段に表示させる
ことを特徴とする請求項１に記載のコンテンツ受信装置。
【請求項３】
通信手段と、
第１の輝度で表示する画像出力手段と、
前記通信手段にコンテンツの受信を指示し、その指示に応じて前記通信手段によって受信されたコンテンツを前記画像出力手段に表示させるコンテンツ表示制御手段とを有し、
前記コンテンツ表示制御手段は、前記通信手段が前記コンテンツの受信に要する時間が所定時間より長い場合、前記画像出力手段を前記第１の輝度より低い第２の輝度で表示させ、又は、表示をさせず、前記コンテンツの受信に要する時間が前記所定時間より短い場合、前記画像出力手段を輝度を変更させずに表示させる
ことを特徴とするコンテンツ受信装置。
【請求項４】
前記コンテンツ表示制御手段は、前記通信手段が前記コンテンツを受信している間、前記通信手段が前記コンテンツを受信中であることを前記表示手段に表示させる
ことを特徴とする請求項３に記載のコンテンツ受信装置。
【請求項５】
通信手段と、
表示手段と、
第１の輝度で表示する画像出力手段と、
前記通信手段にコンテンツの受信を指示し、その指示に応じて前記通信手段によって受信されたコンテンツを前記表示手段及び前記画像出力手段に表示させるコンテンツ表示制御手段とを有し、
前記コンテンツ表示制御手段は、前記通信手段が前記コンテンツの受信に要する時間が所定時間より長い場合、前記表示手段を表示させ、かつ、前記画像出力手段を前記第１の輝度より低い第２の輝度で表示させ、又は、表示をさせず、前記コンテンツの受信に要する時間が前記所定時間より短い場合、前記表示手段を表示させ、かつ、前記画像出力手段を前記第１の輝度で表示させる
ことを特徴とするコンテンツ受信装置。
【請求項６】
前記コンテンツ表示制御手段は、前記通信手段が前記コンテンツを受信している間、前記通信手段が前記コンテンツを受信中であることを前記表示手段及び前記画像出力手段に表示させる
ことを特徴とする請求項５に記載のコンテンツ受信装置。
【請求項７】
通信手段と、
表示手段と、
第１の輝度で表示する画像出力手段と、
前記通信手段にコンテンツの受信を指示し、その指示に応じて前記通信手段によって受信されたコンテンツを前記表示手段及び前記画像出力手段に表示させるコンテンツ表示制御手段とを有し、
前記コンテンツ表示制御手段は、前記表示手段及び前記画像出力手段に同じ表示させるモードにある際、前記通信手段が前記コンテンツの受信に要する時間が所定時間より長い場合、前記表示手段を表示させ、かつ、前記画像出力手段を前記第１の輝度より低い第２の輝度で表示させ、又は、表示をさせず、前記コンテンツの受信に要する時間が前記所定時間より短い場合、前記表示手段を表示させ、かつ、前記画像出力手段を前記第１の輝度で表示させ、
前記コンテンツ表示制御手段は、前記表示手段及び前記画像出力手段に異なる表示させることが許容されるモードにある際、前記通信手段が前記コンテンツの受信に要する時間が所定時間より長い場合、前記表示手段を表示させ、又は、表示をさせず、かつ、前記画像出力手段を前記第１の輝度で表示させ、前記コンテンツの受信に要する時間が前記所定時間より短い場合、前記表示手段を表示させ、かつ、前記画像出力手段を前記第１の輝度で表示させる
ことを特徴とするコンテンツ受信装置。
【請求項８】
前記コンテンツ表示制御手段は、前記通信手段が前記コンテンツを受信している間、前記通信手段が前記コンテンツを受信中であることを前記表示手段に表示させる
ことを特徴とする請求項７に記載のコンテンツ受信装置。
【請求項９】
前記表示手段の表示画面は装置本体に設置され、
前記画像出力手段は、プロジェクタである
ことを特徴とする請求項５又は請求項７に記載のコンテンツ受信装置。
【請求項１０】
前記コンテンツ表示制御手段は、前記通信手段によって前記コンテンツの一部が受信された際、その受信されたコンテンツの一部の大きさ、及び、その受信されたコンテンツの一部の受信に要した時間を参照して、前記通信手段が前記コンテンツの未受信部分を受信する受信速度を予測し、その予測された受信速度、及び、前記コンテンツの大きさを参照して前記通信手段が前記コンテンツの受信に要する時間を予測する
ことを特徴とする請求項１、請求項３、請求項５又は請求項７に記載のコンテンツ受信装置。
【請求項１１】
前記通信手段が前記コンテンツの受信に要する時間は、前記コンテンツ表示制御手段がそのコンテンツの一部であって、受信されたそのコンテンツのストリーミング表示を開始させるために必要な部分の受信に要する時間である
ことを特徴とする請求項１０に記載のコンテンツ受信装置。
【請求項１２】
無線通信経路の通信誤り率と、前記無線通信経路を用いた複数の通信方式それぞれによる受信速度とが対応付けられた誤り率速度対応を記憶する誤り率速度対応記憶手段を更に有し、
前記通信手段は、前記コンテンツの受信を前記無線通信経路を用いた複数の通信方式の中の１つの方式によって行い、
前記コンテンツ表示制御手段は、前記通信手段が第１の通信方式によって前記コンテンツの一部を受信した際に前記第１の通信方式による受信速度を推定し、その推定された第１の通信方式による受信速度に対応付けられて前記誤り率速度対応記憶手段に記憶された前記無線通信経路の通信誤り率を求め、その求められた無線通信経路の通信誤り率に対応付けられて前記誤り率速度対応記憶手段に記憶された前記複数の通信方式それぞれによる受信速度を求め、その求められた前記複数の通信方式それぞれによる受信速度によって前記コンテンツの未受信部分の受信に要する時間を予測し、その予測された受信に要する時間によって前記複数の通信方式の中の１つを選択し、その選択された通信方式による前記コンテンツの受信を前記通信手段に指示する
ことを特徴とする請求項１０に記載のコンテンツ受信装置。
【請求項１３】
前記コンテンツ表示制御手段は、前記予測された受信に要する時間が最短になる通信方式を選択する
ことを特徴とする請求項１２に記載のコンテンツ受信装置。
【請求項１４】
前記コンテンツ表示制御手段は、前記コンテンツの受信のために前記通信手段によって消費される電力が最小になる通信方式を選択する
ことを特徴とする請求項１２に記載のコンテンツ受信装置。
【請求項１５】
前記通信手段は、前記コンテンツの受信を複数の通信経路のいずれか１つによって行い、
前記コンテンツ表示制御手段は、前記通信手段が要する電流が所定の電流値以下である通信経路を選択し、前記通信手段に前記選択された通信経路による前記コンテンツの受信を指示する
ことを特徴とする請求項１、請求項３、請求項５又は請求項７に記載のコンテンツ受信装置。
【発明の詳細な説明】
【技術分野】
【０００１】
本発明は、コンテンツ受信装置に係り、特に、受信されたコンテンツを表示させる処理に関する。
【背景技術】
【０００２】
コンテンツ受信装置は、主に、装置の使用者が画像を視認するために用いられる、装置に表示画面が設置された表示部に画像を表示させるだけでなく、装置の使用者に視認可能であるか否かを問わず、また、１人であるか複数人であるかを問わず、装置の使用者以外の人に視認可能に、画像を画像出力部によって外部表示させることが知られている。ここで、画像出力部による外部表示の一例は、プロジェクタ装置による投影であり、プロジェクタ装置は、装置以外のもの、例えば、スクリーンや、壁に向けて画像を投影する。ここで、プロジェクタ装置の光源を問わない。
【０００３】
画像出力部による外部表示の別の例は、液晶を用いたものであるか、ブラウン管を用いたものであるかなど、表示の方式を問わず、大型の表示部による表示である。なお、画像出力部は、装置の筐体内に組み込まれたものでも良く、また、装置と着脱自在であっても良い。更に、装置と有線回線を、又は、無線回線を介して接続されていても良い。ここで、回線を介して画像を画像出力部に送るプロトコルを問わない。
【０００４】
ここで、画像とは、外部表示させる全ての内容を指しており、その内容を問わない。例えば、静止画であるか、動画であるかを問わない。また、その内容が文字列のみからなる場合を含んで画像と称する。更に、画像の表示は、記憶された画像の再生表示を含む。
【０００５】
外部表示は、例えば、装置の使用者（発表者）が発表を行うために用いられる。また、装置の使用者が画像を視認するために用いられる。外部表示によれば、表示部への表示と比較して画像が大きく表示され、視認が容易だからである。外部表示された画像を視認する者が装置の使用者であるか、装置の使用者以外の者であるかを問わず、外部表示と、表示部への表示とは、装置の使用者の意向に従って、同じであることもあり、異なることもある。
【０００６】
外部表示であるか、表示部への表示であるかを問わず、表示される画像は、装置に既に記憶されている画像とは限らない。即ち、装置の使用者の意向によって表示するとされた後、画像を通信部に受信させ、その受信された画像を表示することがある。また、通信部によって受信されつつある動画像を表示することもある。この受信されつつある動画像を表示することは、ストリーミング再生と呼ばれることがある。
【０００７】
画像の受信の指示の後、その画像の表示が可能になる迄には、その画像を受信する時間を要する。ストリーミング再生の際も同様であり、動画像の一部が受信され、その受信された動画像の一部の再生を終える迄に、未受信である動画像の受信が終了すると予測された際、ストリーミング再生の開始が可能と判断される。即ち、動画像の受信の指示の後、動画像のストリーミング再生による表示の開始まで、動画像の一部を受信する時間を要する。
【０００８】
この、画像の受信の指示から、その画像の表示が可能になる迄の時間には、表示に費やされる電力の削減を目的として、表示を行なわない処理が知られている（例えば、特許文献１参照。）。
【特許文献１】特開２００２−２６１９２２号公報（第１頁、図２）
【発明の開示】
【発明が解決しようとする課題】
【０００９】
しかしながら、上述した特許文献１に開示されている方法では、画像の受信の指示から、その画像の表示が可能になる迄の時間の長短を問わず、その時間に表示を行なわない。そこで、極く短時間の間のみであっても表示が停止される問題点があった。極く短時間、例えば、数秒以下の表示の停止は、その表示を視認している者に違和感を与える。表示の停止に限らず、明るさの変化であっても同様である。
【００１０】
更に、表示部又は画像出力部の光源によっては、表示の停止から表示の開始や、高輝度の表示までに所定の時間を要し、また、表示を開始する際には表示中より多くの電力を消費し、また、表示を開始する回数が増える程、光源の寿命を短くする可能性がある。そこで、例えば、１０分程度以下の表示の停止は好ましくないことがある。これらの光源に依存する問題点は、光源が水銀灯などの放電灯である場合、顕著である。
【００１１】
本発明は、上記問題点を解決するためになされたもので、消費電力の削減と、表示を視認している者へ違和感を与えない表示とを併せて行なうコンテンツ受信装置を提供することを目的とする。
【課題を解決するための手段】
【００１２】
上記目的を達成するために、本発明のコンテンツ受信装置は、通信手段と、第１の輝度で表示する表示手段と、前記通信手段にコンテンツの受信を指示し、その指示に応じて前記通信手段によって受信されたコンテンツを前記表示手段に表示させるコンテンツ表示制御手段とを有し、前記コンテンツ表示制御手段は、前記通信手段が前記コンテンツの受信に要する時間が所定時間より長い場合、前記表示手段を前記第１の輝度より低い第２の輝度で表示させ、又は、表示をさせず、前記コンテンツの受信に要する時間が前記所定時間より短い場合、前記表示手段を輝度を変更させずに表示させることを特徴とする。
【発明の効果】
【００１３】
本発明によれば、消費電力の削減と、表示を視認している者へ違和感を与えない表示とを併せて行なうことができる。
【発明を実施するための最良の形態】
【００１４】
以下に、本発明によるコンテンツ受信装置の実施の形態を、図面を参照して説明する。図１は、本発明の実施形態に係るコンテンツ受信装置が適用された開閉自在の折畳み型移動通信装置の、上下筐体の折畳みを開いた時の外観を示し、図１（ａ）は前面図、即ち、正面図を、図１（ｂ）は側面図を示す。
【００１５】
この移動通信装置は、上筐体ＭＳ１と下筐体ＭＳ２とが、ヒンジ部ＭＳ３によって軸Ａ−Ａを中心に回動自在に連結されてなることによって、上下筐体ＭＳ１、ＭＳ２の角度がほぼ０度（閉状態）からほぼ１８０度（開状態）の間で開閉自在に構成されている。上筐体ＭＳ１の内面には、受話に用いられるスピーカ１４ａと、使用者に操作を促す表示や、使用者が操作した内容の表示や、カーソル位置や、装置の動作状態の表示などに用いられるバックライト付きのＬＣＤ（Liquid Crystal Display）からなる表示部１５とが設置されている。また、上筐体ＭＳ１の外面には、発光ダイオードを光源とし、装置の外側に画像を投影するプロジェクタからなる画像出力部２１が設置されている。
【００１６】
また、下筐体ＭＳ２の内面には、送話に用いられるマイクロフォン１４ｂが設置されている。下筐体ＭＳ２の内面と側面には、キーパッドからなる入力装置１６が設けられている。また、下筐体ＭＳ２の内部には、電波の送受に用いられるアンテナが設置されている。
【００１７】
入力装置１６は、下筐体ＭＳ２の内面に設置され、各機能での確定や選択を指示するために用いられる決定キー１６ａと、決定キー１６ａに隣接して決定キー１６ａを取り囲んで設置され、決定キー１６ａの上、下、左、及び、右方向に位置する４つのキーからなり、表示部１５上のカーソル位置の移動指示などに用いられる十字選択キー１６ｂとを含む。また、下筐体ＭＳ２の内面で表示部１５の近く、即ち、上筐体ＭＳ１の近くに左から右へ設置され、表示部１５の下部に左から右に表示される第１、第２の機能を選択するために用いられる第１の機能キー１６ｃと、第２の機能キー１６ｄとを含む。
【００１８】
更に、入力装置１６は、下筐体ＭＳ２の内面に設置され、英数字や文字、記号の入力などに用いられる数字キーと、移動通信装置の電源の投入及び切断などの動作指示の入力に用いられる複数の機能キーと、下筐体ＭＳ２の側面に設置された複数の側面キー１６ｅとを含んでいる。
【００１９】
また、ヒンジ部ＭＳ３には、上下筐体ＭＳ１、ＭＳ２が開状態にあるか、又は、閉状態にあるかを検出する第１の開閉検出部（図示せず）が設置されて、その第１の開閉検出部から開閉信号が出力されている。
【００２０】
なお、上下筐体ＭＳ１、ＭＳ２が開状態にあるか、又は、閉状態にあるかを検出するために、上筐体ＭＳ１の上部の内部（ヒンジ部ＭＳ３から遠い部分）に第１の磁石ＭＳ４ａを埋め込み、下筐体ＭＳ２の下部の内部（ヒンジ部ＭＳ３から遠い部分）に第２の磁石ＭＳ４ｂを埋め込む。そして、閉状態にある場合、これらの第１、第２の磁石ＭＳ４ａ、ＭＳ４ｂの間の距離が小さいように配置してある。
【００２１】
そのため、閉状態にある場合、これらの第１、第２の磁石ＭＳ４ａ、ＭＳ４ｂ間に働く磁力によって、状態を検出する第２の開閉検出部（図示せず）を設置し、その第２の開閉検出部から開閉信号が出力されるとしても良い。また、第１の開閉検出部から出力される開閉信号と、第２の開閉検出部から出力される開閉信号とを用いて上下筐体ＭＳ１、ＭＳ２が開状態にあるか、又は、閉状態にあるかを検出しても良い。
【００２２】
図２は、この移動通信装置の上筐体ＭＳ１をヒンジ部ＭＳ３によって回動させ、下筐体ＭＳ２に近づけて折畳みを閉じた時の外観を示し、図２（ａ）は前面図を、図２（ｂ）は側面図を示す。折畳みが閉じられた状態では、表示部１５は、折畳みの内側にあるため、使用者は、表示部１５に行われた表示を視認することができない。また、入力装置１６のキーの中で、側面キー１６ｅは使用者によって操作可能であるが、下筐体ＭＳ２の内面に設置されたキーは、操作できない。
【００２３】
一方、画像出力部２１による投影は、装置の外側に向かって行なわれるのであるから、画像出力部２１によって投影された画像は、上下筐体ＭＳ１、ＭＳ２が開状態にある場合と同じように、使用者は視認可能である。
【００２４】
図３は、本発明の実施形態に係わるコンテンツ受信装置が適用された移動通信装置の構成を示すブロック図である。この移動通信装置は、移動通信網（図示せず）を介した通信と、無線ＬＡＮ（Local Area Network）方式による近距離無線通信とを行う通信装置である。
【００２５】
そして、この移動通信装置は、開閉信号ＭＳ３ａが入力され、装置全体の制御を行う制御部１１と、基地局（図示せず）との間で電波の送受信を行うアンテナ１２ａと、移動通信網通信部１２ｂと、移動通信誤り率速度対応記憶部１２ｃと、無線ＬＡＮアクセスポイント（図示せず）との間で電波の送受信を行なうアンテナ１２ｄと、近距離無線通信部１２ｅと、送受信部１３と、スピーカ１４ａと、マイクロフォン１４ｂと、通話部１４ｃと、表示部１５と、入力装置１６とを備える。
【００２６】
この移動通信装置は、更に、画像出力部２１と、コンテンツ記憶部２２と、コンテンツ再生部２３と、ブラウザ部２４と、コンテンツ転送部２５と、電子メール送受信部２６と、装置の各部へ電力を供給する充電池３１とを備える。
【００２７】
移動通信誤り率速度対応記憶部１２ｃには、移動通信誤り率速度対応１２ｆが記憶される。この移動通信誤り率速度対応１２ｆは、基地局と、移動通信網通信部１２ｂとの間の通信に関し、ベアラ毎に誤り率と、通信速度との対応を示す情報である。
【００２８】
コンテンツ記憶部２２には、コンテンツ２２ａが記憶される。コンテンツ２２ａは、符号化されているか否かを問わない静止画像、符号化されているか否かを問わない動画像、文字列である文書、ページ記述言語（Page Description Language）によって記述された文書、マークアップ言語（Markup Language）によって記述された文書、装置で実行されるプログラムであるが、これらに限るものではない。
【００２９】
コンテンツ２２ａは、符号化されているか否かを問わない音声を含んでいても良い。大きさ（記憶に必要な記憶容量。）が定まり、画像として表示部１５又は画像出力部２１への表示が可能であれば良い。たとえ、実行されるプログラム以外などのバイナリデータであっても、１６進数などのダンプによって文字に変換することによって、画像として表示が可能である。
【００３０】
このように、コンテンツ２２ａは、全てのファイルを含むので、以後、コンテンツ２２ａとファイルとを区別しない。また、以後、コンテンツ２２ａの再生表示は、文字列の表示や、ダンプなどによる表示を含む。再生表示は、符号化された信号を復号化する処理を含むが、コンテンツ２２ａに依存して、復号化が行われないこともある。
【００３１】
ここで、制御部１１と、コンテンツ再生部２３と、ブラウザ部２４と、コンテンツ転送部２５と、電子メール送受信部２６とは、コンピュータを利用して動作するプログラムであっても良い。また、制御部１１は、ＯＳの動作を行う。
【００３２】
上記のように構成された、本発明の実施形態に係る移動通信装置の各部の動作を、図３を参照して説明する。まず、移動通信網通信部１２ｂは、アンテナ１２ａが受信した高周波信号を送受信部１３へ出力し、また、送受信部１３から出力される高周波信号をアンテナ１２ａより送信する。
【００３３】
近距離無線通信部１２ｅは、無線ＬＡＮ方式に従った近距離無線通信を行い、アンテナ１２ｄが受信した高周波信号を送受信部１３へ出力し、また、送受信部１３から出力される高周波信号をアンテナ１２ｄより送信する。
【００３４】
送受信部１３は、移動通信網通信部１２ｂからの高周波信号を増幅、周波数変換及び復調してデジタル信号を得て、更に近距離無線通信部１２ｅからの高周波信号を増幅、周波数変換及び復調したデジタル信号を得る。そして、これらのデジタル信号の中の制御信号を制御部１１へ、音声信号を通話部１４ｃへ、ウェブ信号をブラウザ部２４へ、コンテンツ転送信号をコンテンツ転送部２５へ、電子メール信号を電子メール送受信部２６へ送る。
【００３５】
更に、送受信部１３は、制御部１１から出力される制御信号、通話部１４ｃから出力される音声信号、ブラウザ部２４から出力されるウェブ信号、コンテンツ転送部２５から出力されるコンテンツ転送信号、電子メール送受信部２６から出力される電子メール信号を受信する。そして、これらのデジタル信号を変調、周波数変換及び増幅し、高周波信号を得て、その高周波信号を移動通信網通信部１２ｂに送信し、又はこれらのデジタル信号を変調、周波数変換及び増幅し、高周波信号を得て、その高周波信号を近距離無線通信部１２ｅに送信する。
【００３６】
送受信部１３は、移動通信網通信部１２ｂ及び近距離無線通信部１２ｅのいずれによっても、インターネットに接続された通信装置（図示せず）との通信が可能である。移動通信網通信部１２ｂによれば、移動通信網のサービスエリア内に位置する限り、装置が位置する場所に係らず通信が可能であることが多い。また、近距離無線通信部１２ｅによれば、少ない消費電力で高速な通信が可能である。
【００３７】
なお、移動通信網通信部１２ｂを介したデジタルデータ通信は、複数のベアラのいずれかによる。送受信部１３は、送受信を移動通信網通信部１２ｂ及び近距離無線通信部１２ｅのいずれによって行うか、また、移動通信網通信部１２ｂによって行う場合、いずれのベアラによるかは、データ通信の契機となる処理部の指定に従う。
【００３８】
この指示は、データ通信の開始時であっても良く、その通信途中であっても良い。この、移動通信網通信部１２ｂ及び近距離無線通信部１２ｅのいずれか、並びに、ベアラによって識別される通信の方式を、以後、通信経路と称する。
【００３９】
処理部による通信経路の指定がない場合、送受信部１３は、最も速い速度の通信を行うべく、近距離無線通信部１２ｅを用いた通信が可能なら近距離無線通信部１２ｅを選択し、近距離無線通信部１２ｅを用いることができない場合、移動通信網通信部１２ｂを選択し、更に、最速なベアラを選択することによって、最速な通信経路を選択する。そして、選択された通信経路を処理部に通知する。
【００４０】
なお、最速な通信経路を選択する際、送受信部１３は、それぞれの通信経路の仕様に定められた最速の通信速度によって選択する。また、仕様に定められた、又は、過去の通信履歴に基づいた平均の通信速度によって選択しても良い。更に、これらの通信部によって受信された電波の強度や、品質、例えば、信号対雑音比によってそれぞれの通信経路の通信速度を推定し、推定された通信速度に基づいて選択しても良い。
【００４１】
また、通信の途中で、送受信部１３は、移動通信網との通信を継続すべく、また、最も速い速度の通信を行うべく、ハンドオーバを行なう。ハンドオーバは、異なる基地局へのハンドオーバ、同じ基地局との通信で、異なるベアラへのハンドオーバ、更に、移動通信網通信部１２ｂ及び近距離無線通信部１２ｅのいずれか一方から他方へのハンドオーバがある。
【００４２】
通話部１４ｃは、送受信部１３から出力されるデジタル音声信号をアナログ音声信号に変換し、それを増幅してスピーカ１４ａに送る。また、マイクロフォン１４ｂから出力されるアナログ音声信号を増幅し、それをデジタル音声信号に変換して送受信部１３に送信する。
【００４３】
表示部１５は、表示部１５が使用者によって視認可能である場合、即ち、開閉信号ＭＳ３ａによって上下筐体ＭＳ１、ＭＳ２が開状態にあると判断される場合、制御部１１に制御されることで、文字・数字や画像の表示動作を行い、表示されているデータは、入力装置１６からのキー入力操作や着信信号に応答して制御部１１からの指示を受けることで切換わる。ここで、画像は、コンテンツ記憶部２２に記憶されたコンテンツ２２ａに由来するものを含む。そこで、以後、表示部１５は、コンテンツを表示するとの表現を用いる。表示部１５の表示の輝度は、制御部１１に制御されることで可変である。
【００４４】
なお、表示部１５が使用者によって視認不可能な場合、即ち、開閉信号ＭＳ３ａによって上下筐体ＭＳ１、ＭＳ２が閉状態にあると判断される場合、制御部１１は、表示部１５の表示動作を行わせない制御を行う。また、所定の時間に渡って、使用者が入力装置１６のキーを操作せず、かつ、装置にイベントの発生がない場合、制御部１１は、表示部１５の表示動作を行わせない制御、及び／又は、表示部１５の表示の輝度を低下させる制御を行う。
【００４５】
なお、表示部１５の表示動作を行わせないことや、輝度を低下させることは、表示部１５のバックライトの消灯や、輝度の低下を伴う。ここで、イベントには、着信信号の受信や、通話の終了などを含む。
【００４６】
入力装置１６は、通信相手の電話番号を指定するための数字キーと複数の機能キーを含むキーからなる。そして、入力装置１６のキーが入力操作されると、そのキー入力を受け付けて、そのキーの識別子が制御部１１に通知され、制御部１１及び制御部１１を経由してその識別子を受信した処理部によって、表示部１５に文字として表示され、また、動作が行われる。
【００４７】
画像出力部２１は、制御部１１に制御されることで、画像を投影して表示する。ここで、画像は、コンテンツ記憶部２２に記憶されたコンテンツ２２ａに由来するものを含む。そこで、以後、画像出力部２１は、コンテンツを表示するとの表現を用いる。画像出力部２１の表示の輝度は、制御部１１に制御されることで可変である。
【００４８】
なお、所定の時間に渡って、使用者が入力装置１６のキーを操作せず、かつ、装置にイベントの発生がなく、表示部１５の表示動作を行わせない制御、及び／又は、表示部１５の表示の輝度を低下させる制御が制御部１１によって行われた場合、同様に、制御部１１によって画像出力部２１の表示動作を行わせない制御、及び／又は、画像出力部２１の表示の輝度を低下させる制御がされても良い。
【００４９】
特に、装置の構造が、画像出力部２１による表示が、装置の使用者の視認に供される構造である、例えば、画像出力部２１による投影が、装置の近距離に表示される構造である場合、この制御がされても良い。また、特に、画像出力部２１による表示と、表示部１５による表示とが等しい場合、この制御がされても良い。これらの場合、上記所定の時間の経過後に一方の表示を続け、他方の表示を行わせない、又は、輝度を低下させる必要性が乏しいからである。
【００５０】
コンテンツ再生部２３は、入力装置１６の所定のキー操作に基づいて、又は、装置の各部の指示に従って、コンテンツ記憶部２２に記憶されたコンテンツ２２ａを選択し、選択されたコンテンツ２２ａを再生して、表示部１５、及び／又は、画像出力部２１に表示させる。
【００５１】
表示させる際、コンテンツ再生部２３は、入力装置１６の所定のキー操作、又は、表示を指示する処理部の指定に従った輝度で表示させる。また、コンテンツ２２ａに音声が含まれている場合、その音声をスピーカ１４ａ、及び／又は、報知音声発生用の第２のスピーカ（図示せず）から発生させる。
【００５２】
ブラウザ部２４は、ウェブサーバ装置（図示せず）へアクセスし、ウェブサーバ装置から受信された画像を表示部１５及び画像出力部２１のいずれか一方、又は両方に表示させる制御を行う処理部である。
【００５３】
即ち、ブラウザ部２４は、入力装置１６の所定のキーが操作された際、制御部１１によって起動され、入力装置１６の所定のキー操作によって指定された、又は、事前にブラウザ部２４内に記憶された情報によって識別されるウェブサーバ装置へアクセスし、その装置から送信されるウェブページを表示部１５、及び／又は、画像出力部２１に表示させる。
【００５４】
ブラウザ部２４は、表示されたウェブページ中のボタンが、入力装置１６の所定のキー操作によって選択されると、そのボタンに対応付けられたウェブページを受信して、表示部１５、及び／又は、画像出力部２１に表示させる。
【００５５】
また、そのボタンにコンテンツが対応付けられている場合、そのコンテンツを受信して、コンテンツ２２ａとしてコンテンツ記憶部２２に記憶させ、その記憶されたコンテンツ２２ａをコンテンツ再生部２３に再生表示させる。ブラウザ部２４は、入力装置１６の所定のキーが操作された際、動作を終了する。
【００５６】
コンテンツ転送部２５は、コンテンツサーバ装置（図示せず）との間でコンテンツを転送し、コンテンツサーバ装置から受信されたコンテンツを表示部１５及び画像出力部２１のいずれか一方、又は両方に表示させる制御を行う処理部である。即ち、コンテンツ転送部２５は、入力装置１６の所定のキーが操作された際、制御部１１によって起動され、入力装置１６の所定のキー操作によって指定された、又は、事前にコンテンツ転送部２５内に記憶されたコンテンツサーバ装置へアクセスする。
【００５７】
そして、コンテンツ転送部２５は、入力装置１６の所定のキー操作によって指定された、又は、事前にコンテンツ転送部２５内に記憶された、上記コンテンツサーバ装置に記憶されたコンテンツを受信して、コンテンツ２２ａとしてコンテンツ記憶部２２に記憶させ、その記憶されたコンテンツ２２ａをコンテンツ再生部２３に再生表示させる。コンテンツ転送部２５は、入力装置１６の所定のキーが操作された際、動作を終了する。
【００５８】
電子メール送受信部２６は、電子メールの送信及び受信を行う処理部であり、電子メール送受信部２６の電子メール送信動作は、入力装置１６の所定のキー操作により起動され、入力装置１６の所定のキー操作によって作成された電子メールの標題と本文とを、入力装置１６の所定のキー操作によって入力された送信先アドレスを指定してメールサーバ装置（図示せず）へ送信する。その際、入力装置１６の所定のキー操作による指示に従って、コンテンツ２２ａを添付ファイルとして添付する。
【００５９】
また、電子メール送受信部２６の電子メール受信動作は、電子メール着信信号が受信されると制御部１１によって起動され、電子メールのヘッダと本文とをメールサーバ装置から受信する。ここで、ヘッダには、少なくともその電子メールの差出人のアドレス及び標題を含む。そして、受信された電子メールのヘッダと、本文とを電子メール送受信部２６内のメールボックス（図示せず）に記憶する。また、メールボックスに記憶された電子メールのヘッダと本文とを表示部１５、及び／又は、画像出力部２１に表示させる。
【００６０】
また、その電子メールに添付ファイルが添付されている場合、電子メール送受信部２６は、入力装置１６の所定のキー操作に従って、その添付ファイルを受信して、受信されたファイルをコンテンツ２２ａとしてコンテンツ記憶部２２に記憶させ、コンテンツ再生部２３に指示してその記憶されたコンテンツ２２ａを表示部１５及び画像出力部２１のいずれか一方、又は両方に表示させる制御を行う。電子メール送受信部２６は、入力装置１６の所定のキーが操作された際、動作を終了する。
【００６１】
以下、本発明の実施形態に係わる移動通信装置の処理部、即ち、ブラウザ部２４、コンテンツ転送部２５、電子メール送受信部２６のいずれかが、この移動通信装置の通信部、即ち、移動通信網通信部１２ｂ又は近距離無線通信部１２ｅを介してコンテンツを受信し、そのコンテンツを表示部１５及び／又は画像出力部２１に表示させる動作を説明する。
【００６２】
図４は、移動通信誤り率速度対応記憶部１２ｃに記憶される移動通信誤り率速度対応１２ｆの構成の一例を示す。この移動通信誤り率速度対応１２ｆは、縦方向がベアラであって、第１のベアラ１２ｇ−１と、第２のベアラ１２ｇ−２と、第３のベアラ１２ｇ−３と、第４のベアラ１２ｇ−４とからなる。
【００６３】
そして、横方向が誤り率であって、第１の誤り率１２ｈ−１と、第２の誤り率１２ｈ−２と、第３の誤り率１２ｈ−３と、第４の誤り率１２ｈ−４とからなり、縦横共４つの項目からなる２次元の表の形式の情報からなる。
【００６４】
この表は、基地局と、移動通信網通信部１２ｂとの間の通信に関し、ベアラ毎にその通信の通信誤り率と、通信速度との対応を示し、例えば、ベアラが第ｉのベアラ１２ｇ−ｉで、誤り率が第ｊの誤り率１２ｈ−ｊであれば、通信速度Ｘｉｊｂｐｓ（Bits Per Second）であることを示す。
【００６５】
なお、図４に示す移動通信誤り率速度対応１２ｆにおいて、ｉは１〜４の自然数、ｊは１〜４の自然数であり（１≦ｉ≦４、１≦ｊ≦４。）、以後、このｉの取り得る値の範囲と、ｊの取り得る値の範囲との説明を省略する。なお、ｉが取り得る値及びｊが取り得る値は、これに限るものではない。
【００６６】
第ｉのベアラ１２ｇ−ｉのそれぞれは、例えば、音声通信及びデータ通信に用いられる基本チャネルによる通信、データ通信専用チャネルによる通信、また、ＨＳＤＰＡ（High Speed Downlink Packet Access）方式による通信である。なお、第１の誤り率１２ｈ−１は、誤り率が０、即ち、誤りの混入が全くないことを示す。
【００６７】
また、第ｋの誤り率１２ｈ−ｋは、第ｋ−１の誤り率１２ｈ−ｋ−１より大きい。ここで、ｋは２〜４の自然数である（第ｋの誤り率１２ｈ−ｋ＞第ｋ−１の誤り率１２ｈ−ｋ−１、２≦ｋ≦４）。誤り率が大きい程通信速度は遅いので、通信速度Ｘｉｋは通信速度Ｘｉｋ−１より小さい（Ｘｉｋ＜Ｘｉｋ−１。）。以後、このｋの取り得る値の範囲の説明を省略する。
【００６８】
なお、図４に示す移動通信誤り率速度対応１２ｆは、縦横共、４つの項目であるとしたが、これに限るものではない。縦方向の項目数はベアラの数であり、少なくとも１項目である。また、横方向の項目数は誤り率を如何なる細かさで設定するかであり、少なくとも２項目である。なぜなら、少なくとも誤り率が０である項目と、誤り率が０でない項目とが必要だからである。
【００６９】
図５は、ブラウザ部２４がコンテンツを受信し、そのコンテンツを表示部１５及び／又は画像出力部２１に表示させる動作のフローチャートを示す。ブラウザ部２４は、ウェブページを表示中に、コンテンツを受信して表示させる動作を開始する（ステップＳ２４ａ）。ここで、表示は、高輝度で行なわれる。なお、このステップ及び以下のステップの動作における表示が、表示部１５への表示であるか、画像出力部２１への表示であるかは、後でまとめて説明する。
【００７０】
ブラウザ部２４は、ウェブページのボタンの操作を入力し、即ち、異なるウェブページなどの受信を指示する選択肢の選択を入力する。例えば、十字選択キー１６ｂの操作によってそのボタンへカーソル位置を移動させた上で、決定キー１６ａの操作を入力し（ステップＳ２４ｂ）。そして、そのボタンは、コンテンツのダウンロードを指示するボタンであるか否かを調べる（ステップＳ２４ｃ）。
【００７１】
コンテンツのダウンロードを指示するボタンであると判断された場合、ブラウザ部２４は、そのボタンによって識別されるコンテンツを送受信部１３に指示してダウンロードさせてコンテンツ２２ａとしてコンテンツ記憶部２２に記憶させ、送受信部１３からダウンロード終了の通知を受け（ステップＳ２４ｄ）、そのコンテンツ２２ａを再生表示させて（ステップＳ２４ｅ）、ステップＳ２４ｂのボタンの操作の入力動作に移る。ステップＳ２４ｄの動作については、後で詳述する。
【００７２】
なお、ステップＳ２４ｅのコンテンツ２２ａの再生表示に関し、表示されるウィンドウは、ブラウザ部２４に割り当てられたウィンドウの一部もしくは全部、又は、そのウィンドウとは異なるウィンドウのいずれでも良い。また、再生表示は、コンテンツ再生部２３によっても良く、ブラウザ部２４によっても良い。更に、ダウンロードされたコンテンツは、コンテンツ記憶部２２に記憶されず、ブラウザ部２４内に記憶されるとしても良い。
【００７３】
一方、ステップＳ２４ｃで、そのボタンは、コンテンツのダウンロードを指示するボタンでないと判断された場合、そのボタンは、表示されているウェブページとは異なるウェブページを選択して表示させるためのボタンであり、ブラウザ部２４は、その選択されたウェブページを表示させて（ステップＳ２４ｆ）、ステップＳ２４ｂのボタンの操作の入力動作に移る。
【００７４】
ステップＳ２４ｄのコンテンツをダウンロードする動作を詳説する。図６は、ブラウザ部２４がコンテンツをダウンロードする動作の詳細なフローチャートを示す。ブラウザ部２４は、コンテンツのダウンロードを開始して（ステップＳ２４ｈ）、まず、送受信部１３に指示して、そのコンテンツをダウンロードさせる。この指示の際、通信経路の指定を行わず、送受信部１３から送受信部１３によって選択された通信経路の通知を受ける。そして、そのコンテンツの冒頭の一部のダウンロードが終了した際（ステップＳ２４ｉ）、コンテンツのダウンロードに要する時間を予測する（ステップＳ２４ｊ）。
【００７５】
ここで、ブラウザ部２４は、コンテンツの未ダウンロードの部分のダウンロードに要する時間を予測する。しかし、本明細書では、簡明な説明とするため、この予測をコンテンツのダウンロードに要する時間を予測するとの表現で説明する。
【００７６】
コンテンツのダウンロードに要する時間の予測は、以下のように行われる。即ち、ブラウザ部２４は、ステップＳ２４ｉの動作の間にダウンロードされたコンテンツの大きさを、その動作に要した時間で除した商によって、過去のダウンロードの通信速度を得る。そして、この過去のダウンロードの通信速度によって、将来に渡るダウンロードの通信速度を予測する。
【００７７】
例えば、ブラウザ部２４は、将来に渡るダウンロードの通信速度は、過去のダウンロードの通信速度と等しいと予測する。そして、コンテンツの大きさをその将来に渡るダウンロードの通信速度で除してコンテンツのダウンロードに要する時間を予測する。なお、ダウンロードするコンテンツの大きさは、操作されたボタンの属性として得られる。
【００７８】
ステップＳ２４ｉのコンテンツの一部のダウンロードは、このコンテンツのダウンロードに要する時間を予測するために行なわれる。そこで、ステップＳ２４ｉの動作と、ステップＳ２４ｊの動作とは、ブラウザ部２４によって一体として行われても良い。
【００７９】
なお、コンテンツの一部とは、少ない方が、早くダウンロードに要する時間を予測できる。しかし、ダウンロード開始の際は、ダウンロードの通信速度が安定しない可能性がある。そこで、ブラウザ部２４は、ステップＳ２４ｉで、短時間毎の速度が安定するまでダウンロードする。短時間毎の速度が安定しない場合、ダウンロード開始からの平均通信速度が一定値に漸近するまでダウンロードする。
【００８０】
ブラウザ部２４は、予測された、コンテンツのダウンロードに要する時間と所定の時間とを比較し（ステップＳ２４ｋ）、コンテンツのダウンロードに要する時間が所定の時間以上である場合、ブラウザ部２４は、輝度を低下させて表示させる。ここで、輝度を低下させた表示には、表示をさせないことを含む（ステップＳ２４ｍ）。
【００８１】
また、表示内容は、任意であるが、例えば、ウェブサーバ装置から送信されたウェブページであり、砂時計の画像であり、また、そのウェブページに砂時計の画像を加えたものである。砂時計の画像によって、ダウンロード中であって、ダウンロード完了までには時間を要することを示すことができる。
【００８２】
また、表示内容は、プログレスバーであり、また、ウェブサーバ装置から送信されるウェブページにプログレスバーを加えたものである。プログレスバーによって、コンテンツの大きさに対して、既にダウンロードされたそのコンテンツの一部の割り合いを示すことができる。プログレスバーとは、棒グラフ状の図形であって、その棒グラフ状の図形の一部が他部とは異なる表示形態、例えば、異なる色で表示される。そして、その異なる表示形態である割り合いが既にダウンロードされたコンテンツの一部の割り合いを示す。
【００８３】
コンテンツのダウンロードが終了すると（ステップＳ２４ｎ）、ブラウザ部２４は、輝度を復旧させて表示させて（ステップＳ２４ｏ）、ダウンロード動作を終了する（ステップＳ２４ｐ）。なお、輝度の復旧の際、ブラウザ部２４は、画像出力部２１の表示の輝度を復旧させ、一方、表示部１５の表示の輝度を復旧させない、低輝度で表示させる、又は、表示をさせないとしても良い。画像出力部２１の表示の輝度が復旧されれば、表示部１５の表示の必要性は乏しいからである。
【００８４】
ここで、ブラウザ部２４は、ダウンロード終了の後、輝度を復旧させるとしたが、これに限るものではない。図５に示すステップＳ２４ｅのコンテンツ表示の前に輝度を復旧させるとしても同じである。また、ブラウザ部２４が表示部１５へ信号を送信しない場合、表示部１５は表示を行なわないとし、画像出力部２１へ信号を送信しない場合、画像出力部２１は表示を行なわないとしても良い。
【００８５】
ステップＳ２４ｋで、コンテンツのダウンロードに要する時間が所定の時間未満である場合、ブラウザ部２４は、コンテンツのダウンロードが終了すると（ステップＳ２４ｑ）、ダウンロード動作を終了する（ステップＳ２４ｐ）。このステップＳ２４ｑの動作中、ブラウザ部２４は、表示の輝度の変更を行わないが、これに限るものではない。ブラウザ部２４は、表示部１５を低輝度で表示させる、又は、表示をさせないとしても良い。画像出力部２１に表示されれば、表示部１５への表示の必要性は乏しいからである。
【００８６】
なお、コンテンツが動画像であり、その動画像をストリーミング再生させる場合、ブラウザ部２４は、動画像の一部が受信され、その受信された動画像の一部の再生表示を終える迄に、未受信である動画像の受信が終了するか否かを予測する。
【００８７】
その受信が終了すると予測された際、ブラウザ部２４は、ステップＳ２４ｎ又はステップＳ２４ｑのダウンロードの動作を継続させつつ、ステップＳ２４ｐのダウンロード終了として、ステップＳ２４ｅのコンテンツの再生表示を行う（図示せず）。なお、ステップＳ２４ｎのダウンロードの動作をしていた場合、ステップＳ２４ｐのダウンロード終了とする前に、ステップＳ２４ｏの輝度復旧の動作を行う。
【００８８】
動画像の一部が受信され、その受信された動画像の一部の再生表示を終える迄に、未受信である動画像の受信が終了するか否かは、ステップＳ２４ｊの動作で説明した予測されたダウンロードの通信速度を参照して、容易に判断することができる。
【００８９】
なお、コンテンツのダウンロード中に、通信速度が変化する可能性がある。そこで、ブラウザ部２４は、ステップＳ２４ｑのダウンロード中に、ステップＳ２４ｊのダウンロードに要する時間の予測と、ステップＳ２４ｋのその予測された時間と、所定の時間との比較を行い、要する時間が所定の時間以上であれば、ステップＳ２４ｍの輝度を低下させて表示させる動作をしても良い。なお、ステップＳ２４ｎのダウンロード中には、既に、ステップＳ２４ｍの輝度を低下させて表示させる動作をしているので、上記ステップＳ２４ｊ〜ステップＳ２４ｍの動作をさせる必要がない。
【００９０】
ここで、ブラウザ部２４がコンテンツを受信し、そのコンテンツを表示部１５及び／又は画像出力部２１に表示させる動作中、ブラウザ部２４によって行われる表示部１５へ表示させるか、また、画像出力部２１へ表示させるかの表示制御の動作を、図５及び図６を参照して説明する。
【００９１】
表示制御の動作の第１は、装置が表示部１５及び画像出力部２１に同じ表示させるモードにある際の動作であり、表示部１５への表示、及び、画像出力部２１への表示させる動作である。即ち、ブラウザ部２４は、常に、表示部１５及び画像出力部２１へ表示させる。この際、ステップＳ２４ｍでの輝度を低下させた表示については、以下の２つの方法のいずれかによる。
【００９２】
第１の方法は、表示部１５への表示、及び、画像出力部２１への表示のいずれか一方の輝度を低下させる。又は、いずれか一方の表示をさせない。即ち、他方の表示の輝度を変更しないことにより、ダウンロード中であることを容易に視認できる。画像出力部２１への表示の輝度を低下させる、又は、表示をさせない、即ち、表示部１５への表示の輝度を変更しないことにより、消費電力の大きな削減が可能である。なぜなら、画像出力部２１による消費電力は、表示部１５による消費電力より大きいからである。
【００９３】
また、表示部１５への表示の輝度を低下させる、又は、表示をさせない、即ち、画像出力部２１への表示の輝度を変更しないことにより、画像出力部２１を視認している装置の使用者以外の者がダウンロード中であることを容易に視認できる。
【００９４】
第２の方法は、表示部１５への表示、及び、画像出力部２１への表示の両方の輝度を低下させる。又は、両方の表示をさせない。いずれか一方の表示の輝度を低下させ、いずれか一方の表示をさせないとしても良い。これによれば、第１の方法に比較して、大きな消費電力の削減が得られることは明らかである。表示部１５への表示を低輝度で継続することにより、消費電力の大きな削減が可能である。また、画像出力部２１への表示を低輝度で継続することにより、画像出力部２１を視認している装置の使用者以外の者がダウンロード中であることを視認できる。
【００９５】
表示制御の動作の第２は、装置が表示部１５及び画像出力部２１に異なる表示させることが許容されるモードにある際の動作であり、ステップＳ２４ａのブラウザ部２４がコンテンツを受信し、そのコンテンツを表示させる動作の開始の際、画像出力部２１には、ブラウザ部２４以外の処理部、例えば、コンテンツ再生部２３によって、コンテンツ２２ａが表示されている場合の制御である。
【００９６】
この場合、ブラウザ部２４は、表示部１５への表示に関して、上記説明した第１の方法及び第２の方法のいずれか一方の方法による。画像出力部２１への表示に関して、ブラウザ部２４は、ステップＳ２４ｄのダウンロード終了までは、画像出力部２１への表示に関して何も処理を行わない。そして、ステップＳ２４ｅのダウンロードされたコンテンツの表示から、ブラウザ部２４による表示を行わせる。
【００９７】
この際、図６のステップＳ２４ｏの輝度復旧の動作をさせる。なぜなら、ブラウザ部２４以外の処理部によって、画像出力部２１の輝度に如何なる制御が加えられていたか不明だからである。この結果、ステップＳ２４ｄのダウンロード終了までは、ブラウザ部２４以外の処理部による表示が、輝度の変更なく続く。
【００９８】
この第２の表示制御の動作によれば、画像出力部２１による表示は、コンテンツのダウンロードに係る表示であり、意味の乏しいこともある表示となることがなく、コンテンツの表示までは、ブラウザ部２４以外によって行なわれた表示が続き、画像出力部２１を視認している者へ有効な表示を続けることができる。一方、装置の使用者は、表示部１５を視認することによって、コンテンツのダウンロードを進めることができる。
【００９９】
以上のブラウザ部２４によるコンテンツを受信し、そのコンテンツを表示させる動作において、通信経路は、送受信部１３が選択するとしたが、ブラウザ部２４が指定するとしても良い。ブラウザ部２４が指定した場合、上記動作は同じである。また、通信経路は、コンテンツの受信開始から、コンテンツの受信が終了するまで変わらないとしたが、これに限るものではない。
【０１００】
通信経路がコンテンツの受信の途中で変更された場合、ブラウザ部２４は、ステップＳ２４ｋのコンテンツのダウンロードに要する時間の評価前である場合は勿論、その評価後であっても、ステップＳ２４ｍの表示輝度低下の動作を行っていない場合（ステップＳ２４ｑのコンテンツのダウンロード中である場合を含む。）、ステップＳ２４ｊのコンテンツの未ダウンロード部分のダウンロードに要する時間の予測を行なう。そして、ステップＳ２４ｋの要する時間が所定の時間以上である場合、ステップＳ２４ｍの表示輝度低下の動作をさせた上で、コンテンツのダウンロードを続ける。
【０１０１】
通信経路の変更は、以下の２つの契機によって行われる。第１の契機は、送受信部１３によるハンドオーバである。ハンドオーバが行なわれた場合、ブラウザ部２４は、送受信部１３からその旨の通知を受ける。
【０１０２】
ハンドオーバによって通信経路が近距離無線通信部１２ｅを用いた通信から移動通信網通信部１２ｂを用いた通信に変更になった場合、通信速度が低下する可能性が高い。また、装置が移動した場合、無線ＬＡＮアクセスポイントから遠くなった結果、このハンドオーバが行なわれる可能性は必ずしも小さくない。そこで、上記ブラウザ部２４によるコンテンツのダウンロードの要する時間の予測を行なうことが特に有効である。
【０１０３】
第２の契機は、送受信部１３に対して行われるブラウザ部２４による通信経路変更の指示である。ブラウザ部２４による通信経路変更指示の動作を説明する。図７は、ブラウザ部２４による通信経路変更指示の動作のフローチャートを示す。
【０１０４】
ブラウザ部２４による通信経路変更指示の動作は、ステップＳ２４ｉで通信速度が予測された場合、送受信部１３からハンドオーバが行われた旨の通知を受けた場合、並びに、ステップＳ２４ｎ及びステップＳ２４ｑのコンテンツのダウンロード中に所定の時間が経過する度に、開始される（ステップＳ２４ｓ）。
【０１０５】
次に、ブラウザ部２４は、通信速度を予測する（ステップＳ２４ｔ）。ここで、ステップＳ２４ｉで通信速度が得られたことを契機として動作が開始された場合、既に通信速度が予測されているので、このステップＳ２４ｔの動作は不要である。その他のことを契機として動作が開始された場合、ステップＳ２４ｉの動作で説明したように、通信速度を予測する。
【０１０６】
そして、送受信部１３から通知された通信経路が移動通信網通信部１２ｂを用いた通信である場合、ブラウザ部２４は、以下の動作を行う。即ち、まず、移動通信網通信部１２ｂを用いた通信の誤り率を、図４に示す移動通信誤り率速度対応１２ｆを参照して推定する（ステップＳ２４ｕ）。即ち、送受信部１３から通知された通信経路が第ｉのベアラ１２ｇ−ｉである場合、第ｊの誤り率１２ｈ−ｊであれば、ステップＳ２４ｔで得られた通信速度となるか、即ち、ステップＳ２４ｔで得られた通信速度と、通信速度Ｘｉｊとが等しいかを調べる。
【０１０７】
ステップＳ２４ｔで得られた通信速度と、通信速度Ｘｉｊとが等しいｊを求めることによって、ブラウザ部２４は、誤り率が第ｊの誤り率１２ｈ−ｊであると推定する。なお、ステップＳ２４ｔで得られた通信速度と等しい通信速度Ｘｉｊが得られない場合、ステップＳ２４ｔで得られた通信速度は、通信速度Ｘｉｋ−１と、通信速度Ｘｉｋとに如何なる重みを付けた平均値であるかを求める。
【０１０８】
ここで、ステップＳ２４ｔで得られた通信速度は、通信速度Ｘｉｋ−１より小さく、通信速度Ｘｉｋより大きい。そして、誤り率は、第ｋ−１の誤り率１２ｈ−ｋ−１と、第ｋの誤り率１２ｈ−ｋとに上記重みを付けた平均値として推定する。
【０１０９】
次に、ブラウザ部２４は、求められた誤り率において、高速であり、かつ、装置の消費電流の制約と、消費の消費電力の制約とを満たすベアラを検索する（ステップＳ２４ｖ）。各ベアラによる通信速度は、以下のように求める。即ち、求められた第ｊの誤り率１２ｈ−ｊにおいて、第ｉのベアラ１２ｇ−ｉによって通信速度Ｘｉｊが予測される。求められた誤り率が第ｋ−１の誤り率１２ｈ−ｋ−１と、第ｋの誤り率１２ｈ−ｋとに上記重みを付けた平均値である場合、第ｉのベアラ１２ｇ−ｉによる通信速度は、通信速度Ｘｉｋ−１と、通信速度Ｘｉｋとに上記重みを付けた平均値であると予測される。
【０１１０】
装置の消費電流の制約、及び、消費電力の制約は、以下の通りである。即ち、ブラウザ部２４は、第１〜第４のベアラ１２ｇ−１〜１２ｇ−４による通信に要する消費電流をブラウザ部２４内に記憶している。そして、ベアラによる通信に要する消費電流と、表示部１５への表示に要する消費電流と、画像出力部２１への表示に要する消費電流と、通話に要する消費電流との総和が充電池３１の属性として定められた制限電流より小さい場合、消費電流の制約を満たすと判断する。
【０１１１】
なお、表示部１５への表示に要する消費電流と、画像出力部２１への表示に要する消費電流とは、ステップＳ２４ｍの表示輝度低下の動作が行われた場合、その動作に依存して異なる値である。また、通話に要する消費電流を加えるのは、ダウンロード中に通話が開始される可能性があるからである。
【０１１２】
また、ブラウザ部２４は、第１〜第４のベアラ１２ｇ−１〜１２ｇ−４による通信によって、コンテンツの未ダウンロード部分のダウンロードに必要な時間を、上述したように得られたベアラによる通信速度を参照して求める。そして、その時間と、上述したようにブラウザ部２４内に記憶している第１〜第４のベアラ１２ｇ−１〜１２ｇ−４による通信に要する消費電流と、更に、充電池３１の出力電圧を乗じることによって、各ベアラを用いたダウンロードに要する消費電力量を求める。
【０１１３】
更に、所定時間に渡る表示部１５への表示に要する消費電力量と、所定時間に渡る画像出力部２１への表示に要する消費電力量を加えて、総消費電力量を求める。この総消費電力量の消費によって、充電池３１に蓄えられた電力量が所定時間の通話に必要な電力量を下回る場合、ブラウザ部２４は、そのベアラは、消費電力の制約を満たさないと判断する。一方、下回らない場合、そのベアラは、消費電力の制約を満たすと判断する。
【０１１４】
ブラウザ部２４は、上記のように、消費電流の制約を満たし、かつ、消費電力の制約を満たすベアラの中で、最も通信速度が早いベアラを求め、そのベアラが使用中のベアラ、即ち、送受信部１３から通知を受けたベアラと同じであるか否かを調べる（ステップＳ２４ｗ）。
【０１１５】
異なる場合、ブラウザ部２４は、求められたベアラを用いる旨の通信経路の変更を送受信部１３に指示して（ステップＳ２４ｘ）、通信経路変更指示の動作を終了する（ステップＳ２４ｙ）。一方、同じである場合、ブラウザ部２４は、通信経路変更指示の動作を終了する（ステップＳ２４ｙ）。
【０１１６】
なお、ステップＳ２４ｕで、送受信部１３から通知された通信経路が近距離無線通信部１２ｅを用いた通信である場合、ブラウザ部２４は、ステップＳ２４ｕの誤り率の推定以後の動作を行わず、直ちに、通信経路変更指示の動作を終了する（ステップＳ２４ｙ）。なぜなら、近距離無線通信部１２ｅを用いた通信、即ち、無線ＬＡＮ方式による通信は、コンテンツのダウンロードの観点から移動通信網通信部１２ｂを用いた通信と比較すると、通信速度、消費電流、及び消費電力いずれの点においても優れた通信であるからである。
【０１１７】
なお、以上の説明で、ブラウザ部２４は、誤り率の推定と、推定された誤り率における各ベアラの通信による通信速度の予測は、図４に示す表形式の移動通信誤り率速度対応１２ｆを参照して行なうとしたが、これに限るものではない。数式によって得ても良い。
【０１１８】
数式による場合、数式に対応するプログラムの記憶によって、移動通信誤り率速度対応１２ｆを記憶していると見なすことができる。表形式によれば、演算時間の短縮が可能である。また、数式によれば、表を記憶するための記憶容量を必要とせず、また、より正確な誤り率と、より正確な通信速度が得られる。
【０１１９】
ここで、図５〜図７を参照して説明したブラウザ部２４がコンテンツを受信し、そのコンテンツを表示部１５及び／又は画像出力部２１に表示させる動作中に、表示部１５に表示される画像と、画像出力部２１によって投影される画像を例示する。なお、これらの画像の例示は、ブラウザ部２４の動作の理解を助けるためのものであり、ブラウザ部２４の画像表示動作が、これらの例示する画像の表示に限るものではない。
【０１２０】
まず、第１の例示を説明する。図８は、図５のステップＳ２４ｂのウェブページのボタンの操作を入力する際、表示部１５に表示される画像の一例を示す。この一例では、表示部１５の上部から中央部には、ウェブページ表示１５ａが、表示部１５の左下部には、「選択」なる第１の機能表示１５ｂが、そして、表示部１５の右下部には、「戻る」なる第２の機能表示１５ｃが表示されている。この際、画像出力部２１による投影は、表示部１５に表示される画像と同様である。
【０１２１】
ここで、ウェブページ表示１５ａの中で、「ポロ」と、「サーフィン」とが選択可能な選択肢であるボタンであることを、それらにハッチングを施すことによって示す。また、決定キー１６ａの操作に代えて、第１の機能表示１５ｂの近くに位置する第１の機能キー１６ｃの操作でも、ブラウザ部２４は同じ動作をすることを示す。
【０１２２】
更に、第２の機能表示１５ｃの近くに位置する第２の機能キー１６ｄの操作によって、ブラウザ部２４は直前に行われた入力装置１６の所定のキー操作がされなかった状態に戻る。又は、図５のフローチャートで、直前の動作ステップの動作がされなかった状態に戻る。これらの第１の機能キー１６ｃの操作が意味する指示、及び第２の機能キー１６ｄの操作が意味する指示は、以後の第１の機能表示１５ｂ及び第２の機能表示１５ｃの表示がされている全ての場合に共通である。
【０１２３】
この図８に示す表示がされている際、「ポロ」のボタンは、コンテンツのダウンロードを指示するボタンではなく、表示されているウェブページとは異なるウェブページを表示させるためのボタンである。そこで、「ポロ」のボタンの操作を入力すると、ブラウザ部２４は、図５のステップＳ２４ｆの選択されたウェブページを表示させる動作によって、図９に示す画像が表示部１５に表示され、図５のステップＳ２４ｂのボタン操作の入力動作に戻る。この際、画像出力部２１による投影は、表示部１５に表示される画像と同様である。
【０１２４】
図９に示す画像では、表示部１５の上部から中央部には、ウェブページ表示１５ａが、表示部１５の左下部には、「選択」なる第１の機能表示１５ｂが、そして、表示部１５の右下部には、「戻る」なる第２の機能表示１５ｃが表示されている。ここで、ウェブページ表示１５ａは、２つのポロ競技中の情景を示す静止画が上下に配置されてなり、これらの２つの静止画が選択可能な選択肢であるボタンであることを、それらにハッチングを施すことによって示す。
【０１２５】
この図９に示す表示がされている際、２つの静止画が示すボタンは、コンテンツのダウンロードを指示するボタンであるので、上方のボタンの操作を入力すると、ブラウザ部２４は、図６に詳述したステップＳ２４ｄの動作によって、そのボタンで識別されるコンテンツのダウンロードを開始する。ダウンロード開始後、表示部１５には、上記ボタン操作の入力前の画像、即ち、図９に示す画像が表示される。ただし、ウェブページ表示１５ａ中の２つの静止画は、既に一方が操作されているので、操作されるボタンではなく、ボタンであると識別される表示は行なわれない。
【０１２６】
そして、図６のステップＳ２４ｍの表示輝度を低下させた表示の動作によって、表示部１５には、図１０に示す画像が表示される。図１０に示す画像は、図９に示す画像と類似しているが、以下の点で相違している。即ち、まず、画像全体が低い輝度で表示されている。低い輝度であることを、画像全体にハッチングを施すことによって示す。
【０１２７】
次に、上述したように、ウェブページ表示１５ａ中の２つの静止画は、既に一方が操作されているので、操作されるボタンではない。そこで、図１０で、これらの静止画にはハッチングを施していない。また、上の静止画は、操作されたボタンなので、操作されなかった下の静止画とは異なる表示がされる。図１０では、上の静止画の枠を太い実線として、この異なる表示を示す。
【０１２８】
また、ステップＳ２４ｍの表示輝度を低下させた表示の動作によって、画像出力部２１によって、図１１に示すコンテンツダウンロード中の投影２１ａが行なわれる。このコンテンツダウンロード中の投影２１ａは、砂時計の画像からなり、低い輝度で投影される。低い輝度であることを、画像全体にハッチングを施すことによって示す。
【０１２９】
なお、コンテンツダウンロード中の投影２１ａには、「選択」なる第１の機能表示１５ｂと、「戻る」なる第２の機能表示１５ｃとは含まれない。第１の機能表示１５ｂ及び第２の機能表示１５ｃは、ブラウザ部２４に対する操作を示し、表示部１５に表示され、装置の使用者によって視認されれば良いと考えられるからであるが、これに限るものではない。コンテンツダウンロード中の投影２１ａに含まれるとしても良い。
【０１３０】
コンテンツのダウンロードが終了すると、ステップＳ２４ｏの動作によって表示輝度が復旧され、図５のステップＳ２４ｅの動作によって、表示部１５には、図１２に示す画像が表示される。この画像は、表示部１５の上部から中央部には、コンテンツ再生表示１５ｄが、表示部１５の左下部には、「選択」なる第１の機能表示１５ｂが、そして、表示部１５の右下部には、「戻る」なる第２の機能表示１５ｃが表示されている。また、図１３に示すコンテンツ再生中の投影２１ｂが、画像出力部２１によって投影される。コンテンツ再生表示１５ｄと、コンテンツ再生中の投影２１ｂとは、同じ画像の表示である。
【０１３１】
なお、コンテンツダウンロード中の投影２１ａには、「選択」なる第１の機能表示１５ｂと、「戻る」なる第２の機能表示１５ｃとは含まれない。第１の機能表示１５ｂ及び第２の機能表示１５ｃは、ブラウザ部２４に対する操作を示し、表示部１５に表示され、装置の使用者によって視認されれば良いと考えられるからであるが、これに限るものではない。コンテンツ再生中の投影２１ｂに含まれるとしても良い。
【０１３２】
次に、第２の例示を説明する。第２の例示は、図５のステップＳ２４ａのブラウザ部２４がコンテンツを受信し、そのコンテンツを表示させる動作の開始の際、画像出力部２１には、コンテンツ再生部２３によって、コンテンツ２２ａが表示されている場合の表示の例であって、上述した第１の例示と異なる部分のみを説明する。
【０１３３】
この第２の例示では、図１１に示すコンテンツダウンロード中の投影２１ａに代えて、図１４に示す画像出力部２１によるコンテンツダウンロード指示前及びダウンロード中の投影２１ｃが画像出力部２１によって投影される。このコンテンツダウンロード指示前及びダウンロード中の投影２１ｃは、コンテンツ再生部２３によって得られた画像に基くものであり、輝度が低下されることなく投影される。
【０１３４】
更に、表示部１５に図８に示すウェブページ表示１５ａが表示されている際、及び、図９に示すウェブページ表示１５ａが表示されている際に、第１の例示では、画像出力部２１による表示は、表示部１５による表示と同様とした。第２の例示では、これらの際、画像出力部２１による表示は、図１４に示すコンテンツダウンロード指示前及びダウンロード中の投影２１ｃである。
【０１３５】
表示部１５に表示される画像と、画像出力部２１によって投影される画像の例示による説明を終え、装置の各部の動作説明に戻る。
【０１３６】
図１５は、コンテンツ転送部２５がコンテンツを受信し、そのコンテンツを表示部１５及び／又は画像出力部２１に表示させる動作のフローチャートを示す。コンテンツ転送部２５は、コンテンツサーバ装置に記憶されたコンテンツの一覧を表示中に、コンテンツを受信して表示させる動作を開始する（ステップＳ２５ａ）。ここで、このステップ及び以下のステップの動作における表示が、表示部１５への表示であるか、画像出力部２１への表示であるかに関するコンテンツ転送部２５の制御は、ブラウザ部２４の動作説明で述べた通りであり、説明を省略する。
【０１３７】
コンテンツ転送部２５は、入力装置１６のキー操作を入力して、そのキー操作をコンテンツサーバ装置に送ると共に（ステップＳ２５ｂ）、そのキー操作は、コンテンツの受信を指示するものであるか否かを調べる（ステップＳ２５ｃ）。コンテンツの受信は、ｆｔｐ（File Transfer Protocol）による。そこで、例えば、十字選択キー１６ｂの操作によってコンテンツ一覧の中の１つへカーソル位置を移動させた上で、決定キー１６ａの操作によって、カーソル位置が置かれたコンテンツ一覧で識別されるコンテンツの受信の指示となる。なお、ｆｔｐによることからも明らかなように、コンテンツの受信と、ファイルの受信との技術的な差はない。
【０１３８】
ステップＳ２５ｃで、コンテンツの受信を指示するものであると判断された場合、コンテンツ転送部２５は、コンテンツサーバ装置から送信されたコンテンツを受信して、コンテンツ２２ａとしてコンテンツ記憶部２２に記憶させ（ステップＳ２５ｄ）、そのコンテンツ２２ａを再生表示させて（ステップＳ２５ｅ）、ステップＳ２５ｂの入力装置１６のキー操作を入力する動作に移る。
【０１３９】
一方、ステップＳ２５ｃで、そのキー操作は、コンテンツの受信を指示するものでないと判断された場合、例えば、コンテンツ一覧を表示させる操作である場合、コンテンツ転送部２５は、その操作に応じてコンテンツサーバ装置から送信されたコンテンツ一覧を表示させて（ステップＳ２５ｆ）、ステップＳ２５ｂの入力装置１６のキー操作を入力する動作に移る。
【０１４０】
コンテンツ転送部２５のステップＳ２５ｄの動作は、図６を参照して説明したブラウザ部２４のステップＳ２４ｄの動作と同じであり、説明を省略する。
【０１４１】
なお、ステップＳ２５ｅのコンテンツ２２ａの再生表示に関し、表示されるウィンドウは、コンテンツ転送部２５に割り当てられたウィンドウとは異なるウィンドウである。また、再生表示は、コンテンツ再生部２３による。そのため、ステップＳ２５ｄのコンテンツの受信から、ステップＳ２５ｅのコンテンツの再生表示に至る間に、装置の使用者の操作が必要となる、即ち、コンテンツ再生部２３は、入力装置１６の所定のキー操作の受信を行うことがある。
【０１４２】
なお、コンテンツ転送部２５がコンテンツを受信し、そのコンテンツを表示させる動作において、通信経路は、送受信部１３が選択し、コンテンツの受信が終了するまで変わらないとしたが、これに限るものではない。ブラウザ部２４の動作説明で述べた通り、通信経路は、コンテンツ転送部２５が指定しても良く、また、通信経路の変更は、２つの契機によって行われても良い。
【０１４３】
第１の契機は、送受信部１３によるハンドオーバであり、第２の契機は、送受信部１３に対して行われるコンテンツ転送部２５による通信経路変更の指示である。コンテンツ転送部２５による通信経路変更の指示の動作は、ブラウザ部２４による通信経路変更の指示の動作と同じであり説明を省略する。
【０１４４】
コンテンツ転送部２５が動作中に表示部１５に表示される画像と、画像出力部２１によって投影される画像は、図８〜図１４を参照して説明したブラウザ部２４が動作中に、表示部１５に表示される画像と、画像出力部２１によって投影される画像に準じる。相違点は、ウェブページ表示１５ａに代えて、例えば、図１５に示すコンテンツ転送部２５の動作のフローチャートのステップＳ２５ｆの動作で説明したように、コンテンツ一覧表示がされることである。
【０１４５】
図１６は、電子メール送受信部２６がコンテンツを受信し、そのコンテンツを表示部１５及び／又は画像出力部２１に表示させる動作のフローチャートを示す。電子メール送受信部２６は、メールボックスに記憶された電子メールの表題と、本文と、その電子メールに添付されているファイル、即ち、コンテンツを識別する情報とを表示中に、コンテンツを受信して表示させる動作を開始する（ステップＳ２６ａ）。
【０１４６】
ここで、このステップ及び以下のステップの動作における表示が、表示部１５への表示であるか、画像出力部２１への表示であるかに関する電子メール送受信部２６の制御は、ブラウザ部２４の動作説明で述べた通りであり、説明を省略する。
【０１４７】
電子メール送受信部２６は、入力装置１６のキー操作を入力して（ステップＳ２６ｂ）、そのキー操作は、コンテンツの受信を指示するものであるか否かを調べる（ステップＳ２６ｃ）。コンテンツの受信は、ＩＭＡＰ（Internet Message Access Protocol）による。そこで、例えば、十字選択キー１６ｂの操作によってコンテンツを識別する情報の表示へカーソル位置を移動させた後で、決定キー１６ａの操作によって、カーソル位置が置かれたコンテンツを識別する情報によって識別されるコンテンツの受信の指示であると判断する。
【０１４８】
コンテンツのダウンロードを指示する指示であると判断された場合、電子メール送受信部２６は、その指示によって識別されるコンテンツをダウンロードしてコンテンツ２２ａとしてコンテンツ記憶部２２に記憶させ（ステップＳ２６ｄ）、そのコンテンツ２２ａを再生表示させて（ステップＳ２６ｅ）、ステップＳ２６ｂのボタンの操作の入力動作に移る。
【０１４９】
一方、ステップＳ２６ｃで、そのボタンは、コンテンツのダウンロードを指示するボタンでないと判断された場合、そのボタンは、表示されている電子メールの本文の、例えば、表示されていない部分を表示させるための指示であり、電子メール送受信部２６は、その指示に従って、本文を表示させて（ステップＳ２６ｆ）、ステップＳ２６ｂの入力装置１６のキー操作を入力する動作に移る。
【０１５０】
電子メール送受信部２６のステップＳ２６ｄの動作は、図６を参照して説明したブラウザ部２４のステップＳ２４ｄの動作と同じであり、説明を省略する。
【０１５１】
なお、ステップＳ２６ｅのコンテンツ２２ａの再生表示に関し、表示されるウィンドウは、電子メール送受信部２６に割り当てられたウィンドウの一部もしくは全部、又は、そのウィンドウとは異なるウィンドウのいずれでも良い。また、再生表示は、コンテンツ再生部２３によっても良く、電子メール送受信部２６によっても良い。更に、ダウンロードされたコンテンツは、コンテンツ記憶部２２に記憶されず、電子メール送受信部２６内に記憶されるとしても良い。
【０１５２】
なお、電子メール送受信部２６によるコンテンツを受信し、そのコンテンツを表示させる動作において、通信経路は、送受信部１３が選択し、コンテンツの受信が終了するまで変わらないとしたが、これに限るものではない。ブラウザ部２４の動作説明で述べた通り、通信経路は、電子メール送受信部２６が指定しても良く、また、通信経路の変更は、２つの契機によって行われても良い。
【０１５３】
第１の契機は、送受信部１３によるハンドオーバであり、第２の契機は、送受信部１３に対して行われる電子メール送受信部２６による通信経路変更の指示である。電子メール送受信部２６による通信経路変更の指示の動作は、ブラウザ部２４による通信経路変更の指示の動作と同じであり説明を省略する。
【０１５４】
電子メール送受信部２６が動作中に表示部１５に表示される画像と、画像出力部２１によって投影される画像は、図８〜図１４を参照して説明したブラウザ部２４が動作中に、表示部１５に表示される画像と、画像出力部２１によって投影される画像に準じる。相違点は、ウェブページ表示１５ａに代えて、例えば、図１６に示す電子メール送受信部２６の動作のフローチャートのステップＳ２６ｆの動作で説明したように、電子メールの本文の表示がされることである。
【０１５５】
以上の説明は、近距離無線通信部１２ｅは、無線ＬＡＮ方式による通信を行うとしたが、これに限るものではない。無線ＬＡＮ方式による通信に代えて、又は、加えてブルートゥース（Bluetooth、登録商標）方式による通信を行っても良い。
【０１５６】
この方式による通信でのコンテンツの受信は、ＯＢＥＸ（Object Exchange Protocol）による。また、この方式による通信は、ブルートゥース（Ｒ）アクセスポイント（図示せず）との間で行なわれ、又は、通信相手の装置（図示せず）との間で行なわれる。
【０１５７】
ブルートゥース（Ｒ）方式による通信は、移動通信網通信部１２ｂの各ベアラによる通信と比較して、消費電力は少ない。しかし、通信速度は、ブルートゥース（Ｒ）通信の方式に依存するが、必ずしも高速であるとは限らない。そこで、送受信部１３は、ブルートゥース（Ｒ）アクセスポイント又は通信相手の装置との間の、例えば、距離の変化があったと判断された場合に限らず、より高速な通信が可能である判断された場合、ハンドオーバの動作を行なう。
【０１５８】
また、ブラウザ部２４、コンテンツ転送部２５、及び、電子メール送受信部２６は、より高速な通信を行わせるべく、移動通信網通信部１２ｂの各ベアラと、ブルートゥース（Ｒ）方式による通信との間でハンドオーバをさせる。このハンドオーバの動作は、図７を参照して説明したハンドオーバの動作と同様であり、ステップＳ２４ｔの通信速度の予測動作でブルートゥース（Ｒ）方式による通信の通信速度を予測することと、ステップＳ２４ｖの高速なベアラの検索動作でブルートゥース（Ｒ）方式による通信を含めて検索することが相違するだけであり、説明を省略する。なお、この動作によって、ハンドオーバが行われないことがあることは説明した通りである。
【０１５９】
以上の説明は、近距離無線通信部１２ｅは、無線ＬＡＮ方式による通信を行うとしたが、これに限るものではない。無線ＬＡＮ方式による通信に代えて、又は、加えて赤外線を介したＩｒＤＡ（Infrared Data Association）方式による通信を行っても良い。
【０１６０】
赤外線を介した通信を行う場合、装置は、赤外線を発光する発光部及び赤外線を受光する受光部を備える。この方式による通信でのコンテンツの受信は、ＯＢＥＸ（Object Exchange Protocol）による。また、この方式による通信は、赤外線通信アクセスポイント（図示せず）との間で行なわれ、又は、通信相手の装置との間で行なわれる。
【０１６１】
赤外線を介したＩｒＤＡ方式による通信は、移動通信網通信部１２ｂの各ベアラによる通信と比較して、消費電力は少ない。しかし、通信速度は、ＩｒＤＡ方式に依存するが、必ずしも高速であるとは限らない。そこで、送受信部１３は、赤外線通信アクセスポイント又は通信相手の装置との間の、例えば、距離の変化があったと判断された場合に限らず、より高速な通信が可能である判断された場合、ハンドオーバを行なう。
【０１６２】
また、ブラウザ部２４、コンテンツ転送部２５、及び、電子メール送受信部２６は、より高速な通信を行わせるべく、移動通信網通信部１２ｂの各ベアラと、赤外線を介したＩｒＤＡ方式による通信との間でハンドオーバをさせる。このハンドオーバの動作は、図７を参照して説明したハンドオーバの動作と同様であり、ステップＳ２４ｔの通信速度の予測動作でＩｒＤＡ方式による通信の通信速度を予測することと、ステップＳ２４ｖの高速なベアラの検索動作でＩｒＤＡ方式による通信を含めて検索することが相違するだけであり、説明を省略する。なお、この動作によって、ハンドオーバが行われないことがあることは説明した通りである。
【０１６３】
以上の説明で、送受信部１３がハンドオーバを行なう際、ハンドオーバ後の通信経路が装置の消費電流の制約と、消費の消費電力の制約とを満たすか否かを判断せず、ブラウザ部２４、コンテンツ転送部２５、及び、電子メール送受信部２６が判断するとした。しかし、これに限るものではない。送受信部１３が上記制約を満たすか否かを判断しても良い。
【０１６４】
更に、送受信部１３が図７に示すハンドオーバの動作を行っても良い。この場合、ブラウザ部２４、コンテンツ転送部２５、及び、電子メール送受信部２６は、例えば、通信経路の通信速度を送受信部１３から受信し、その受信された通信速度を参照してコンテンツのダウンロードに要する時間を予測する。
【０１６５】
以上の説明で、通信速度の予測は、コンテンツの一部の受信の後に行なわれるとしたが、これに限るものではない。例えば、コンテンツの受信前に、移動通信網通信部１２ｂの各ベアラ毎と、近距離無線通信部１２ｅとの仕様に基づく最速の通信速度であるとしても良い。
【０１６６】
また、コンテンツの受信前に、移動通信網通信部１２ｂによって受信された電波の強度や、品質、例えば、信号対雑音比によって、移動通信網通信部１２ｂを用いた通信の誤り率を推定し、近距離無線通信部１２ｅによって受信された電波の強度や、品質、例えば、信号対雑音比によって、近距離無線通信部１２ｅを用いた通信の誤り率を推定しても良い。推定された通信の誤り率によって、通信速度を予測することは、既に説明した通りである。また、電波の強度や、品質によって、通信の誤り率を推定することなく直接に通信速度を予測しても良い。
【０１６７】
以上の説明は、画像出力部２１は、装置の外側に画像を投影するプロジェクタであるとしたが、これに限るものではない。装置外の画像を表示するディスプレー、例えば、テレビ受像機へ、そのディスプレーに表示させる画像信号と、そのディスプレーの電源投入切断及び輝度変更を指示する制御信号とを送信する処理部であるとしても良い。
【０１６８】
以上の説明は、表示部１５と、画像出力部２１を備えた移動通信装置を例にとって行ったが、本発明は、その他の装置に適用することができる。例えば、表示部１５を備えない構成のコンテンツ受信装置に適用可能である。また、画像出力部２１を備えない構成のコンテンツ受信装置に適用可能である。本発明は以上の構成に限定されるものではなく、種々の変形が可能である。
【図面の簡単な説明】
【０１６９】
【図１】本発明の実施形態に係る開閉自在の折畳み型移動通信端末装置の上下筐体を開いた際の外観図。
【図２】本発明の実施形態に係る開閉自在の折畳み型移動通信端末装置の上下筐体を閉じた際の外観図。
【図３】本発明の実施形態に係る移動通信装置の構成を示すブロック図。
【図４】本発明の実施形態に係る移動通信誤り率速度対応の構成の一例を示す図。
【図５】本発明の実施形態に係るブラウザ部がコンテンツを受信し、そのコンテンツを表示させる動作のフローチャート。
【図６】本発明の実施形態に係るブラウザ部がコンテンツをダウンロードする動作の詳細なフローチャート。
【図７】本発明の実施形態に係るブラウザ部が通信経路変更を指示する動作のフローチャート。
【図８】本発明の実施形態に係るブラウザ部が動作中に表示部に表示される画像の第１の例。
【図９】本発明の実施形態に係るブラウザ部が動作中に表示部に表示される画像の第２の例。
【図１０】本発明の実施形態に係るブラウザ部が動作中に表示部に表示される画像の第３の例。
【図１１】本発明の実施形態に係るブラウザ部が動作中に画像出力部に表示される画像の第１の例。
【図１２】本発明の実施形態に係るブラウザ部が動作中に表示部に表示される画像の第４の例。
【図１３】本発明の実施形態に係るブラウザ部が動作中に画像出力部に表示される画像の第２の例。
【図１４】本発明の実施形態に係るブラウザ部が動作中に画像出力部に表示される画像の第３の例。
【図１５】本発明の実施形態に係るコンテンツ転送部がコンテンツを受信し、そのコンテンツを表示させる動作のフローチャート。
【図１６】本発明の実施形態に係る電子メール送受信部がコンテンツを受信し、そのコンテンツを表示させる動作のフローチャート。
【符号の説明】
【０１７０】
１１  制御部
１２ａ、１２ｄ  アンテナ
１２ｂ  移動通信網通信部
１２ｃ  移動通信誤り率速度対応記憶部
１２ｅ  近距離無線通信部
１２ｆ  移動通信誤り率速度対応
１２ｇ−ｉ  第ｉのベアラ
１２ｈ−ｊ  第ｊの誤り率
１３  送受信部
１５  表示部
１５ａ  ウェブページ表示
１５ｂ  第１の機能表示
１５ｃ  第２の機能表示
１５ｄ  コンテンツ再生表示
１６  入力装置
１６ａ  決定キー
１６ｂ  十字選択キー
１６ｃ  第１の機能キー
１６ｄ  第２の機能キー
２１  画像出力部
２１ａ  コンテンツダウンロード中の投影
２１ｂ  コンテンツ再生中の投影
２１ｃ  コンテンツダウンロード指示前及びダウンロード中の投影
２２  コンテンツ記憶部
２２ａ  コンテンツ
２３  コンテンツ再生部
２４  ブラウザ部
２５  コンテンツ転送部
２６  電子メール送受信部
３１  充電池
【図１】
2009246881.tif 000003
【図２】
2009246881.tif 000004
【図３】
2009246881.tif 000005
【図４】
2009246881.tif 000006
【図５】
2009246881.tif 000007
【図６】
2009246881.tif 000008
【図７】
2009246881.tif 000009
【図８】
2009246881.tif 000010
【図９】
2009246881.tif 000011
【図１０】
2009246881.tif 000012
【図１１】
2009246881.tif 000013
【図１２】
2009246881.tif 000014
【図１３】
2009246881.tif 000015
【図１４】
2009246881.tif 000016
【図１５】
2009246881.tif 000017
【図１６】
2009246881.tif 000018